(57)【要約】【課題】当該受信中の放送と放送内容が同じ放送への受信放送の切り替えを可及的に行える「ラジオ放送受信装置」を提供する。【解決手段】受信中のラジオ放送の受信状態が劣化したときに、ＤＡＢで受信したハードリンク情報が示す、受信中のラジオ放送とサイマル放送の関係にあるラジオ放送であって、正常受信可能なラジオ放送がない場合、ＤＡＢで受信したソフトリンク情報が示す、受信中のラジオ放送と関連するラジオ放送のうちの正常受信可能なラジオ放送であって、受信中のラジオ放送とサイマル放送の関係にあるＩＰラジオ放送のRadioEPGが示す当該ＩＰラジオ放送とサイマル放送の関係にあるラジオ放送に、受信するラジオ放送を切り替える。【選択図】図１
2017108229.tif 000002
【特許請求の範囲】
【請求項１】
ラジオ放送を受信するラジオ放送受信装置であって、
ラジオ放送を受信するラジオ放送受信部と、
前記ラジオ放送と共に前記ラジオ放送受信部によって受信される当該ラジオ放送受信部が受信しているラジオ放送のサービスリンク情報によって示される、当該ラジオ放送受信部が受信しているラジオ放送とサイマル放送の関係にあるラジオ放送であって、正常受信可能なラジオ放送をハードリンク先として識別し、前記サービスリンク情報によって示される、当該ラジオ放送受信部が受信しているラジオ放送と関連するラジオ放送であって、正常受信可能なラジオ放送を同一放送ソフトリンク先候補とを識別するリンク識別手段と、
移動通信を介して、前記ラジオ放送受信部が受信しているラジオ放送とサイマル放送の関係にあるＩＰラジオ放送のサービス情報を取得し、同一放送ソフトリンク先候補であって、取得したサービス情報が示す当該ＩＰラジオ放送とサイマル放送の関係にあるラジオ放送を、同一放送ソフトリンク先に設定する同一放送ソフトリンク先設定手段と、
前記ラジオ放送受信部のラジオ放送の受信状態が劣化したときに、前記ラジオ放送受信部で受信するラジオ放送を、前記ハードリンク先が存在する場合には当該ハードリンク先に切り替え、前記ハードリンク先が存在せず、前記同一放送ソフトリンク先が存在する場合には当該同一放送ソフトリンク先に切り替える制御手段とを有することを特徴とするラジオ放送受信装置。
【請求項２】
請求項１記載のラジオ放送受信装置であって、
前記移動通信を介して前記ＩＰラジオ放送を受信するＩＰラジオプレイヤと、
前記ラジオ放送受信部がラジオ放送で受信した音声と、前記ＩＰラジオプレイヤがＩＰラジオ放送で受信した音声とのうちの一方の音声をユーザに対して出力する出力選択部とを有し、
前記制御手段は、前記出力選択部が前記ラジオ放送受信部がラジオ放送で受信した音声を出力しているときに前記ラジオ放送受信部のラジオ放送の受信状態が劣化したときに、
前記ハードリンク先が存在する場合には、前記ラジオ放送受信部で受信するラジオ放送を当該ハードリンク先に切り替え、
前記ハードリンク先が存在せず、前記同一放送ソフトリンク先が存在する場合には、前記ラジオ放送受信部で受信するラジオ放送を当該同一放送ソフトリンク先に切り替え、
前記ハードリンク先も前記同一放送ソフトリンク先も存在しない場合には、前記ラジオ放送受信部が受信しているラジオ放送とサイマル放送の関係にあるＩＰラジオ放送の前記移動通信を介した受信を前記ＩＰラジオプレイヤに開始させると共に、前記出力選択部に前記ＩＰラジオプレイヤがＩＰラジオ放送で受信した音声の出力を開始させることを特徴とするラジオ放送受信装置。
【請求項３】
請求項１記載のラジオ放送受信装置であって、
前記移動通信を介して前記ＩＰラジオ放送を受信するＩＰラジオプレイヤと、
前記ラジオ放送受信部がラジオ放送で受信した音声と、前記ＩＰラジオプレイヤがＩＰラジオ放送で受信した音声とのうちの一方の音声をユーザに対して出力する出力選択部とを有し、
前記制御手段は、前記出力選択部が前記ラジオ放送受信部がラジオ放送で受信した音声を出力しているときに前記ラジオ放送受信部のラジオ放送の受信状態が劣化したときに、
前記ハードリンク先が存在する場合には、前記ラジオ放送受信部で受信するラジオ放送を当該ハードリンク先に切り替え、
前記ハードリンク先が存在せず、前記同一放送ソフトリンク先が存在する場合には、前記ラジオ放送受信部で受信するラジオ放送を当該同一放送ソフトリンク先に切り替え、
前記ハードリンク先も前記同一放送ソフトリンク先も存在せず、前記同一放送ソフトリンク先以外の前記同一放送ソフトリンク先候補が存在する場合には、前記ラジオ放送受信部で受信するラジオ放送を、当該存在した同一放送ソフトリンク先候補に切り替え、
前記ハードリンク先も前記同一放送ソフトリンク先も同一放送ソフトリンク先以外の前記同一放送ソフトリンク先候補も存在しない場合には、前記ラジオ放送受信部が受信しているラジオ放送とサイマル放送の関係にあるＩＰラジオ放送の前記移動通信を介した受信を前記ＩＰラジオプレイヤに開始させると共に、前記出力選択部に前記ＩＰラジオプレイヤがＩＰラジオ放送で受信した音声の出力を開始させることを特徴とするラジオ放送受信装置。
【請求項４】
請求項１または２記載のラジオ放送受信装置であって、
前記ラジオ放送はＤＡＢ（Digital Audio Broadcasting）のサービスであり、
前記サービスリンク情報は、FIGタイプ０、エクステンション６のFIGデータに含まれる情報であり、
前記ＩＰラジオ放送のサービス情報は、当該ＩＰラジオ放送のRadioEPGのデータであることを特徴とするラジオ放送受信装置。
【請求項５】
請求項１、２または３記載のラジオ放送受信装置であって、
前記ラジオ放送は、デジタルラジオ放送とアナログラジオ放送とのうちの少なくとも一方であることを特徴とするラジオ放送受信装置。
【請求項６】
請求項１、２、３、４または５記載のラジオ放送受信装置であって、
当該ラジオ放送受信装置は自動車に搭載された車載型のラジオ放送受信装置であることを特徴とするラジオ放送受信装置。
【発明の詳細な説明】
【技術分野】
【０００１】
本発明は、ラジオ放送受信装置において、受信する放送を、受信中の放送から当該放送と同内容の放送を行っている他の放送に切り替える技術に関するものである。
【背景技術】
【０００２】
放送受信装置において、受信中の放送から、当該放送と同内容の放送を行っている放送に、受信する放送を切り替える技術としては、ＤＡＢ（デジタルオーディオ放送：Digital Audio Broadcasting）を受信するラジオ放送受信装置において、受信中のＤＡＢのサービスの受信状態が劣化したときに、受信中のＤＡＢのサービスから、当該ＤＡＢのサービスと同内容の放送を行っている他のＤＡＢのサービスに受信する放送サービスを切り替える技術が知られている（たとえば、特許文献１）。
【０００３】
また、ＤＡＢとＦＭ放送とを受信するラジオ放送受信装置において、受信中のＤＡＢのサービスの受信状態が劣化したときに、受信中のＤＡＢのサービスから、当該ＤＡＢのサービスと同内容の放送を行っているＦＭ放送に、受信する放送を切り替える技術も知られている（たとえば、特許文献２）。
【０００４】
また、ラジオ放送受信装置において、放送用電波を伝送媒体に用いるラジオ放送と、当該ラジオ放送と同内容の放送を行っているＩＰラジオ放送との間で、受信する放送を切り替える技術も知られている（たとえば、特許文献３、４）。
【０００５】
また、放送と共に、サイマル放送の関係にある放送の情報をハードリンク情報として、関連する放送の情報をソフトリンク情報として伝送する技術も知られている（たとえば、特許文献５、非特許文献１、２）。
【０００６】
また、ラジオ放送とサイマル放送の関係にあるＩＰラジオ放送のURLをインターネットを介して提供するRadioDNSの技術(非特許文献３）や、ＩＰラジオ放送とサイマル放送の関係にあるラジオ放送の識別を含むＩＰラジオ放送についての情報をインターネットを介して提供するRadioEPGの技術(非特許文献４）も知られている。
【先行技術文献】
【特許文献】
【０００７】
【特許文献１】特開平１０  -２００４９９号公報
【特許文献２】特開平１１  -３４０８５３号公報
【特許文献３】特開２０１３-２０１４６９号公報
【特許文献４】特開２０１１-０７８１０７号公報
【特許文献５】特開２００７-０２０１８４号公報
【非特許文献】
【０００８】
【非特許文献１】ETSI 、" Digital Audio Broadcasting (DAB);Rules of implementation;Service information features", ETSI TS 103 176 V1.1.1 (2012-08)
【非特許文献２】ETSI 、"Digital Audio Broadcasting (DAB);VHF/FM Broadcasting: cross-referencing to simulcast DAB services by RDS-ODA 147", ETSI EN 301 700 V1.1.1(2000-03)
【非特許文献３】The RadioDNS Project、 "RadioDNS Technical Specification RDNS01 V1.0.0  (2012-02)" 、[online]、 [平成27年11月26日検索]、インターネット＜URL:https://radiodns.org/wp-content/uploads/2014/02/RDNS01-1.0.0.pdf＞
【非特許文献４】The RadioDNS Project、 "RadioEPG Technical Specification REPG01 V1.1 (2013-10) "、[online],[平成27年11月26日検索]、インターネット＜URL:https://radiodns.org/wp-content/uploads/2013/10/REPG01-v1.1.pdf＞
【発明の概要】
【発明が解決しようとする課題】
【０００９】
さて、ＤＡＢなどでは、上述したソフトリンク情報によって示される、受信中の放送と関連する放送が、実際には、当該放送と同内容の放送を行っている放送(受信中の放送とサイマル放送の関係にある放送)であることがある。
【００１０】
そこで、ハードリンク情報とソフトリンク情報を伴う放送を受信するラジオ放送受信装置において、放送受信状態が劣化したときに、ハードリンク情報によって示される受信中の放送とサイマル放送の関係にある放送であって正常受信できる放送が存在する場合には、当該サイマル放送の関係にある放送に受信する放送を切り替え、存在しない場合には、ソフトリンク情報によって示される放送であって正常受信できる放送に、受信する放送を切り替えることが考えられる。
【００１１】
しかし、このようにすると、ソフトリンク情報によって示される関連する放送はサイマル放送の関係にある放送であることが保証されない放送であるために、ユーザが放送を聴いている途中で、受信しユーザに対して音声を出力する放送が、異なる内容の放送に切り替わってしまうことが生じる。
【００１２】
一方、ハードリンク情報によって示される当該放送とサイマル放送の関係にある放送のみへの切り替えを行う場合には、受信中の放送とサイマル放送にある放送を正常受信できるにもかかわらず、当該放送への切り替えを行えない場合が生じる。
【００１３】
そこで、本発明は、受信中の放送の受信状態が劣化したときに、当該受信中の放送と放送内容が同じ放送への受信する放送の切り替えを、可及的に、当該受信中の放送と放送内容が異なる放送への受信する放送の切り替えの発生を抑止、または、抑制しつつ行うことを課題とする。
【課題を解決するための手段】
【００１４】
前記課題達成のために、本発明は、ラジオ放送を受信するラジオ放送受信装置に、ラジオ放送を受信するラジオ放送受信部と、前記ラジオ放送と共に前記ラジオ放送受信部によって受信される当該ラジオ放送受信部が受信しているラジオ放送のサービスリンク情報によって示される、当該ラジオ放送受信部が受信しているラジオ放送とサイマル放送の関係にあるラジオ放送であって、正常受信可能なラジオ放送をハードリンク先として識別し、前記サービスリンク情報によって示される、当該ラジオ放送受信部が受信しているラジオ放送と関連するラジオ放送であって、正常受信可能なラジオ放送を同一放送ソフトリンク先候補とを識別するリンク識別手段と、移動通信を介して、前記ラジオ放送受信部が受信しているラジオ放送とサイマル放送の関係にあるＩＰラジオ放送のサービス情報を取得し、同一放送ソフトリンク先候補であって、取得したサービス情報が示す当該ＩＰラジオ放送とサイマル放送の関係にあるラジオ放送を、同一放送ソフトリンク先に設定する同一放送ソフトリンク先設定手段と、前記ラジオ放送受信部のラジオ放送の受信状態が劣化したときに、前記ラジオ放送受信部で受信するラジオ放送を、前記ハードリンク先が存在する場合には当該ハードリンク先に切り替え、前記ハードリンク先が存在せず、前記同一放送ソフトリンク先が存在する場合には当該同一放送ソフトリンク先に切り替える制御手段とを備えたものである。
【００１５】
ここで、このようなラジオ放送受信装置は、当該ラジオ放送受信装置に、さらに、前記移動通信を介して前記ＩＰラジオ放送を受信するＩＰラジオプレイヤと、前記ラジオ放送受信部がラジオ放送で受信した音声と、前記ＩＰラジオプレイヤがＩＰラジオ放送で受信した音声とのうちの一方の音声をユーザに対して出力する出力選択部とを設け、前記制御手段において、前記出力選択部が前記ラジオ放送受信部がラジオ放送で受信した音声を出力しているときに前記ラジオ放送受信部のラジオ放送の受信状態が劣化したときに、前記ハードリンク先が存在する場合には、前記ラジオ放送受信部で受信するラジオ放送を当該ハードリンク先に切り替え、前記ハードリンク先が存在せず、前記同一放送ソフトリンク先が存在する場合には、前記ラジオ放送受信部で受信するラジオ放送を当該同一放送ソフトリンク先に切り替え、前記ハードリンク先も前記同一放送ソフトリンク先も存在しない場合には、前記ラジオ放送受信部が受信しているラジオ放送とサイマル放送の関係にあるＩＰラジオ放送の前記移動通信を介した受信を前記ＩＰラジオプレイヤに開始させると共に、前記出力選択部に前記ＩＰラジオプレイヤがＩＰラジオ放送で受信した音声の出力を開始させるように構成してもよい。
【００１６】
または、このようなラジオ放送受信装置は、当該ラジオ放送受信装置に、さらに、前記移動通信を介して前記ＩＰラジオ放送を受信するＩＰラジオプレイヤと、前記ラジオ放送受信部がラジオ放送で受信した音声と、前記ＩＰラジオプレイヤがＩＰラジオ放送で受信した音声とのうちの一方の音声をユーザに対して出力する出力選択部とを設け、前記制御手段において、前記出力選択部が前記ラジオ放送受信部がラジオ放送で受信した音声を出力しているときに前記ラジオ放送受信部のラジオ放送の受信状態が劣化したときに、前記ハードリンク先が存在する場合には、前記ラジオ放送受信部で受信するラジオ放送を当該ハードリンク先に切り替え、前記ハードリンク先が存在せず、前記同一放送ソフトリンク先が存在する場合には、前記ラジオ放送受信部で受信するラジオ放送を当該同一放送ソフトリンク先に切り替え、前記ハードリンク先も前記同一放送ソフトリンク先も存在せず、前記同一放送ソフトリンク先以外の前記同一放送ソフトリンク先候補が存在する場合には、前記ラジオ放送受信部で受信するラジオ放送を、当該存在した同一放送ソフトリンク先候補に切り替え、前記ハードリンク先も前記同一放送ソフトリンク先も前記同一放送ソフトリンク先以外の前記同一放送ソフトリンク先候補も存在しない場合には、前記ラジオ放送受信部が受信しているラジオ放送とサイマル放送の関係にあるＩＰラジオ放送の前記移動通信を介した受信を前記ＩＰラジオプレイヤに開始させると共に、前記出力選択部に前記ＩＰラジオプレイヤがＩＰラジオ放送で受信した音声の出力を開始させるように構成してもよい。
【００１７】
ここで、以上のラジオ放送受信装置は、より具体的には、たとえば、前記ラジオ放送を、ＤＡＢ（Digital Audio Broadcasting）のサービスとし、前記サービスリンク情報を、FIGタイプ０、エクステンション６のFIGデータに含まれる情報とし、前記ＩＰラジオ放送のサービス情報を、当該ＩＰラジオ放送のRadioEPGのデータとするようにしてもよい。
【００１８】
また、以上のラジオ放送受信装置において、前記ラジオ放送は、デジタルラジオ放送とアナログラジオ放送とのうちの少なくとも一方としてよい。
また、以上のラジオ放送受信装置は自動車に搭載された車載型のラジオ放送受信装置であってもよい。
以上のようなラジオ放送受信装置によれば、前記ラジオ放送と共に前記ラジオ放送受信部によって受信される当サービスリンク情報によって示されるラジオ放送受信部で受信中のラジオ放送と関連するラジオ放送のうちの、正常受信可能なラジオ放送である同一放送ソフトリンク先候補のうち、実際には、現用系のラジオチューナで受信中のラジオ放送とサイマル放送の関係にあるラジオ放送を、移動通信を介して取得したラジオ放送受信部が受信しているラジオ放送とサイマル放送の関係にあるＩＰラジオ放送のサービス情報を用いて識別して同一放送ソフトリンク先として設定する。そして、同一放送ソフトリンク先候補のうちの同一放送ソフトリンク先のみを、現用系のラジオ放送受信部で受信するラジオ放送の切り替え先の対象としたり、同一放送ソフトリンク先を、その他の同一放送ソフトリンク先候補よりも優先して他事尾放送受信部で受信するラジオ放送の切り替え先の対象とする。
【００１９】
よって、本発明によれば、当該受信中のラジオ放送と放送内容が同じラジオ放送への受信する放送の切り替えを、可及的に、当該受信中のラジオ放送と放送内容が異なるラジオ放送への受信するラジオ放送の切り替えの発生を抑止、または、抑制しつつ行うことができる。
【発明の効果】
【００２０】
以上のように、本発明によれば、受信中の放送の受信状態が劣化したときに、当該受信中の放送と放送内容が同じ放送への受信する放送の切り替えを、可及的に、当該受信中の放送と放送内容が異なる放送への受信する放送の切り替えの発生を抑止、または、抑制しつつ行うことができる。
【図面の簡単な説明】
【００２１】
【図１】本発明の実施形態に係るラジオ放送システムの構成を示すブロック図である。
【図２】本発明の実施形態に係るラジオ放送受信機の構成を示すブロック図である。
【図３】本発明の実施形態に係るソフトリンク先チェック処理を示すフローチャートである。
【図４】本発明の実施形態において利用するRadioEPGの例を示す図である。
【図５】本発明の実施形態に係るフォロー動作制御処理を示すフローチャートである。
【発明を実施するための形態】
【００２２】
以下、本発明の実施形態について説明する。
図１に、本実施形態に係るラジオ放送システムの構成を示す。
図示するように、ラジオ放送受信機１は、自動車に搭載されるラジオ放送受信機１であり、ラジオ放送局２から放送されるＤＡＢ（デジタルオーディオ放送：Digital Audio Broadcasting）によるラジオ放送の受信を行う。但し、ラジオ放送受信機１は、ＤＡＢに加え、ＦＭラジオ放送によるラジオ放送も受信するものであってもよい。また、ラジオ放送受信機１は、移動通信を介してインターネットなどのＷＡＮ３に接続しＷＡＮ３上のＩＰラジオサーバ４からＩＰラジオ放送を受信する。ここでＩＰラジオサーバ４が行うＩＰラジオ放送には、ラジオ放送とサイマル放送の関係にあるＩＰラジオ放送、すなわち、ラジオ放送と同内容の放送が行われるＩＰラジオ放送が含まれる。
【００２３】
また、ＷＡＮ３上には、各ラジオ放送について当該ラジオ放送のサイマル放送を行っているＩＰラジオ放送のURLを提供するRadioDNS５と、ＩＰラジオ放送とサイマル放送の関係にあるラジオ放送の識別を含むＩＰラジオ放送についての情報であるRadioEPG のデータを提供するRadioEPGサーバ６が配置されている。
【００２４】
そして、ラジオ放送受信機１は、移動通信を介して、ＷＡＮ３上のRadioDNS５にアクセスして、受信中のラジオ放送のサイマル放送を行っているＩＰラジオ放送のURLを取得して、ＩＰラジオサーバ放送を受信することができる。
【００２５】
次に、図２に、ラジオ放送受信機１の構成を示す。
図示するように、ラジオ放送受信機１は、移動通信を行う移動通信装置１１１、ＩＰラジオサーバ４からＩＰラジオ放送を受信し受信したオーディオデータを出力するＩＰラジオプレイヤ１１２、ＤＡＢによるラジオ放送またはＤＡＢとＦＭ放送によるラジオ放送を受信する２系統のラジオチューナ１１３を備えている。
【００２６】
そして、２系統のラジオチューナ１１３の一方は現用系のラジオチューナ１１３として用いられ、ラジオ放送局２から放送されるラジオ放送を受信し、受信したオーディオデータを再生出力する。また、他方のラジオチューナ１１３はバックグランド系のラジオチューナ１１３として用いられ、受信可能なラジオ放送と、その受信状態をサーチする動作を繰り返し行う。
【００２７】
次に、ＩＰラジオプレイヤ１１２は、移動通信を行う移動通信装置１１１を介してＷＡＮ３上のＩＰラジオサーバ４に接続し、ＩＰラジオサーバ４がＩＰラジオ放送で配信しているオーディオストリームを受信し、オーディオデータを再生出力する。
【００２８】
また、ラジオ放送受信機１は、入力装置１１４、表示装置１１５、記憶装置１１６、現用系のラジオチューナ１１３とＩＰラジオプレイヤ１１２が出力するオーディオデータの一方を選択し出力するセレクタ１１７、セレクタ１１７が出力するオーディオデータをアナログの音声信号に変換した上で増幅し出力するアンプ１１８、アンプ１１８が出力する音声信号で駆動され音声を出力するスピーカ１１９、以上のラジオ放送受信機１の各部を制御する制御部１２０を備えている。
【００２９】
ここで、ラジオ放送受信機１は、出力モードとしてラジオ放送出力モードとＩＰラジオ放送出力モードとを有する。そして、制御部１２０は、ラジオ放送出力モードにあるときには、ＩＰラジオプレイヤ１１２のＩＰラジオ放送の受信を停止状態に維持すると共に、セレクタ１１７を制御し、現用系のラジオチューナ１１３でラジオ放送から受信した音声をスピーカ１１９から出力させる。また、制御部１２０は、ＩＰラジオ放送出力モードにあるときには、ＩＰラジオプレイヤ１１２にＩＰラジオ放送の受信を行わせると共に、セレクタ１１７を制御し、ＩＰラジオプレイヤ１１２がＩＰラジオ放送からで受信した音声をスピーカ１１９から出力させる。
【００３０】
ここで、本実施形態において以降の説明に用いる用語である「ハードリンク先」、「同一放送ソフトリンク先」、「ソフトリンク先」、「ＩＰラジオリンク先」について説明する。
【００３１】
まず、ラジオ放送出力モードにあるときには、ハードリンク先は、現用系のラジオチューナ１１３がラジオ放送局２からＤＡＢで受信するFIGデータ（FIG 0/6)のサービスリンキングに含まれるハードリンク情報（S/H=1のID LIST)によって識別されるラジオ放送、すなわち、現用系のラジオチューナ１１３で受信しているラジオ放送とサイマル放送の関係にあるラジオ放送のうちの、バックグランド系のラジオチューナ１１３で検出した受信状態が良好なラジオ放送となる。なお、FIG 0/6は、FIGデータの、FIGタイプが０、エクステンションが６であることを表している。
【００３２】
次に、ラジオ放送出力モードにあるときの同一放送ソフトリンク先は、現用系のラジオチューナ１１３がラジオ放送局２からＤＡＢで受信するFIGデータ（FIG 0/6)のサービスリンキングに含まれるソフトリンク情報（S/H=0のID LIST)によって識別されるラジオ放送のうちの、バックグランド系のラジオチューナ１１３で検出した受信状態が良好なラジオ放送であって、現用系のラジオチューナ１１３で受信しているラジオ放送とサイマル放送の関係にあることがRadioEPGから確認できるラジオ放送である。
【００３３】
ここで、この同一放送ソフトリンク先の求め方の詳細については後述する。
なお、ソフトリンク情報（S/H=0のID LIST)によって識別されるラジオ放送は、現用系のラジオチューナ１１３で受信しているラジオ放送と関連する内容を放送しているラジオ放送であり、現用系のラジオチューナ１１３で受信しているラジオ放送と放送内容が同一であることが未保証のラジオ放送である。
【００３４】
また、ラジオ放送出力モードにあるときのソフトリンク先は、現用系のラジオチューナ１１３がラジオ放送局２からＤＡＢで受信するFIGデータ（FIG 0/6)のサービスリンキングに含まれるソフトリンク情報（S/H=0のID LIST)によって識別されるラジオ放送のうちの、バックグランド系のラジオチューナ１１３で検出した受信状態が良好なラジオ放送から同一放送ソフトリンク先を除いたラジオ放送である。
【００３５】
また、また、ラジオ放送出力モードにあるときに、ＩＰラジオリンク先は、RadioDNS５にアクセスして求まる、現用系のラジオチューナ１１３が受信しているラジオ放送のサイマル放送を行っているＩＰラジオ放送である。
【００３６】
また、ＩＰラジオ放送受信モードにあるときには、ハードリンク先は、RadioEPGサーバ６が提供する、受信中のＩＰラジオ放送のRadioEPGのXSIファイルのサービスエレメントの情報から識別される、ＩＰラジオプレイヤ１１２が受信しているＩＰラジオ放送のサイマル放送を行っていラジオ放送のうちの、バックグランド系のラジオチューナ１１３で検出した受信状態が良好なラジオ放送となる。ただし、ＩＰラジオ放送のサイマル放送を行っていラジオ放送は、上述したハードリンク情報を利用して求めるようにすることもできる。なお、RadiEPGのURLは、RadioDNS５から取得することもできる。
【００３７】
なお、ラジオチューナ１１３において、ＤＡＢによるラジオ放送に加え、ＦＭ放送によるラジオ放送も受信する場合には、ＤＡＢによるラジオ放送とＦＭ放送によるラジオ放送の双方が、ハードリンク先や同一放送ソフトリンク先やソフトリンク先となり得る。
【００３８】
以下、上述した同一放送ソフトリンク先の求め方の詳細について説明する。
図３に、制御部１２０が、同一放送ソフトリンク先の設定のために行うソフトリンク先チェック処理の手順を示す。
図示するように、この処理では、まず、RadioDNS５から、現用系のラジオチューナ１１３が受信中のラジオ放送とサイマル放送の関係にあるＩＰラジオ放送のRadiEPGのURLを取得する（ステップ３０２）。そして、取得したURLにアクセスしRadiEPGを取得する（ステップ３０４）。
【００３９】
ここで、図４にRadiEPGの例を示す。
図４は、RadiEPGのXSIファイルのサービスエレメントの一部を示したものであり、図中の４０１が、ＩＰラジオ放送とサイマル放送の関係にあるラジオ放送であるＤＡＢのサービスのリストとなっている。ここで、ＤＡＢは、一つの周波数チャネルで、各々が一つのラジオ放送に相当するサービスを複数放送することができる。また、同じ周波数チャネルで放送されるサービスの集まりをアンサンブルと呼ぶ。
【００４０】
そして、図４のリスト４０１の各行の、id=".."における""内の、「DAB.」に続く部分が、ＤＡＢのラジオ放送の識別を表しており、国を表すコードであるGCC 、アンサンブルの識別子であるEID、サービスの識別子であるSID、サービス内のコンポーネントの識別子であるSCIDSが記述されている。
【００４１】
図３に戻り、以上のようにしてRadiEPGを取得したならば、現用系のラジオチューナ１１３がラジオ放送局２からＤＡＢで受信するFIGデータ（FIG 0/6)のサービスリンキングに含まれるソフトリンク情報（S/H=0のID LIST)によって識別される、現用系のラジオチューナ１１３で受信中のラジオ放送と関連する放送を行っているラジオ放送のうちの、バックグランド系のラジオチューナ１１３で検出した受信状態が良好なラジオ放送を同一放送ソフトリンク先候補として、同一放送ソフトリンク先候補のうちの、RadiEPGのXSIファイルのサービスエレメントに、ＩＰラジオ放送とサイマル放送の関係にあるラジオ放送として登録されているラジオ放送を抽出し、同一放送ソフトリンク先に設定する（ステップ３０６）。
【００４２】
ここで、ＤＡＢで受信するFIGデータ（FIG 0/6)のサービスリンキングのソフトリンク情報に第１のラジオ放送と関連する放送を行っているラジオ放送として登録されている第２のラジオ放送が、RadioDNS５によって示される第１のラジオ放送とサイマル放送の関係にあるＩＰラジオ放送のRadiEPGに、当該ＩＰラジオ放送とサイマル放送の関係にあるラジオ放送として登録されていることがある。そして、このような場合は、第２のラジオ放送は、実際には、第１のラジオ放送とサイマル放送の関係にあるラジオ放送であると考えられる。
【００４３】
よって、以上のような処理により、ＤＡＢで受信するFIGデータ（FIG 0/6)のサービスリンキングのソフトリンク情報に、現用系のラジオチューナ１１３で受信中のラジオ放送と関連する放送を行っているラジオ放送として登録されているラジオ放送のうちの、実際には、現用系のラジオチューナ１１３で受信中のラジオ放送とサイマル放送の関係にあるラジオ放送を、当該ラジオ放送を正常受信可能な場合に、同一放送ソフトリンク先として設定することができる。
【００４４】
次に、以上のようにして、同一放送ソフトリンク先を設定したならば（ステップ３０６）、バックグランド系のラジオチューナ１１３で検出する受信状態の変化による、同一放送ソフトリンク先候補の変化の発生（ステップ３０８）と、現用系のラジオチューナ１１３で受信するラジオ放送の変化の発生（ステップ３１０）を監視し、受信状態の変化による、同一放送ソフトリンク先候補の変化が発生したならば（ステップ３０８）、ステップ３０６からの処理に戻り、現用系のラジオチューナ１１３で受信するラジオ放送の変化が発生したならば（ステップ３１０）、ステップ３０２からの処理に戻る。
【００４５】
以上、制御部１２０における同一放送ソフトリンク先の求め方の詳細について説明した。
次に、ラジオ放送受信機１において制御部１２０が行うハードリンク動作、同一放送ソフトリンク動作、ソフトリンク動作、ＩＰラジオリンク動作について説明する。
ラジオ放送出力モードにあるときには、制御部１２０は、ハードリンク動作において、ハードリンク先のラジオ放送に、現用系のラジオチューナ１１３で受信するラジオ放送を切り替える。なお、このラジオ放送出力モードにあるときのハードリンク動作において、セレクタ１１７は、出力する音声を切り替え前のラジオ放送の音声から切り替え後の音声に、徐々に切り替えるシームレスな切り替えを行う。
【００４６】
ラジオ放送出力モードにあるときには、制御部１２０は、同一放送ソフトリンク動作において、同一放送ソフトリンク先のラジオ放送に、現用系のラジオチューナ１１３で受信するラジオ放送を切り替える。なお、このラジオ放送出力モードにあるときの同一放送ソフトリンク動作において、セレクタ１１７は、出力する音声を切り替え前のラジオ放送の音声から切り替え後の音声に、徐々に切り替えるシームレスな切り替えを行う。
【００４７】
また、ＩＰラジオ放送出力モードにあるときには、制御部１２０は、ハードリンク動作において、ハードリンク先のラジオ放送に、現用系のラジオチューナ１１３で受信するラジオ放送を切り替え、出力モードをラジオ放送出力モードに切り替える。なお、このハードリンク動作においては、ＩＰラジオプレイヤ１１２で受信しているＩＰラジオ放送とハードリンク先のラジオ放送との遅延時間を合わせてから、出力モードを切り替えることにより、シームレスな切り替えを行うようにしてもよい。
【００４８】
また、ラジオ放送出力モードにあるときに、制御部１２０は、ソフトリンク動作において、ソフトリンク先のラジオ放送に、現用系のラジオチューナ１１３で受信するラジオ放送を切り替える。
【００４９】
また、ラジオ放送出力モードにあるときに、制御部１２０は、ＩＰラジオリンク動作において、ＩＰラジオプレイヤ１１２にＩＰラジオリンク先のＩＰラジオ放送受信を開始させると共に、出力モードをラジオ放送出力モードに切り替える。なお、ＩＰラジオリンク動作においては、現用系のラジオチューナ１１３で受信しているラジオ放送と、ハードリンク先のＩＰラジオ放送との遅延時間を合わせてから、出力モードを切り替えることにより、シームレスな切り替えを行うようにしてもよい。
【００５０】
さて、このようなラジオ放送受信機１において、制御部１２０は、入力装置１１４を介して受け付けたユーザの操作に応じて、ソフトリンク禁止モードを設定する。ここで、ソフトリンク禁止モードは、上述したソフトリンク動作の実行を禁止するモードであり、ユーザは、ソフトリンク動作の実行を禁止したい場合に、ソフトリンク禁止モードの設定操作を行う。
【００５１】
また、制御部１２０は、ユーザからラジオ放送の受信が指示されたならば、ラジオ放送出力モードを設定し、現用系のラジオチューナ１１３に指示されたラジオ放送の受信を開始させ、フォロー動作制御処理を開始する。
【００５２】
図５に、このフォロー動作制御処理の手順を示す。
図示するように、フォロー動作制御処理において、制御部１２０は、現用系のラジオチューナ１１３におけるラジオ放送の受信状態を監視し、受信状態が劣化したならば（ステップ５０２）、上述したラジオ放送出力モードにあるときのハードリンク先が存在するかどうかを調べ（ステップ５０４）、存在する場合には、上述したラジオ放送出力モードにあるときのハードリンク動作を実行し（ステップ５０６）、ステップ５０２の監視に戻る。
【００５３】
一方、ハードリンク先が存在しなかった場合には（ステップ５０４）、上述したラジオ放送出力モードにあるときの同一放送ソフトリンク先が存在するかどうかを調べ（ステップ５０８）、存在しない場合にはステップ５０２の監視に戻り、存在する場合には、上述したラジオ放送出力モードにあるときの同一放送ソフトリンク動作を実行した上で（ステップ５１０）、ステップ５０２の監視に戻る。
【００５４】
また、同一放送ソフトリンク先が存在しない場合には（ステップ５０８）、ソフトリンク禁止モードが設定されているかどうかを調べ（ステップ５１２）、設定されていない場合には、上述したラジオ放送出力モードにあるときのソフトリンク先が存在するかどうかを調べ（ステップ１４）、存在する場合には、上述したラジオ放送出力モードにあるときのソフトリンク動作を実行した上で（ステップ５１６）、ステップ５０２の監視に戻る。
【００５５】
一方、ソフトリンク先が存在しない場合には（ステップ１４）、上述したＩＰラジオリンク動作を実行する（ステップ５１８）。
そして、ＩＰラジオリンク動作によって、ＩＰラジオ放送出力モードに切り替わったならば、上述したＩＰラジオ放送出力モードにあるときのハードリンク先が発生するのを待ち（ステップ５２０）、ハードリンク先が発生したならば、上述したＩＰラジオ放送出力モードにあるときのハードリンク動作を実行して（ステップ５２２）、ラジオ放送出力モードに切り替え、ステップ５０２の監視に戻る。
【００５６】
また、ステップ５１２で、ソフトリンク禁止モードが設定されていると判定された場合には、上述したＩＰラジオリンク動作を実行する（ステップ５１８）。
そして、ＩＰラジオリンク動作によって、ＩＰラジオ放送出力モードに切り替わったならば、上述したＩＰラジオ放送出力モードにあるときのハードリンク先が発生するのを待ち（ステップ５２０）、ハードリンク先が発生したならば、上述したＩＰラジオ放送出力モードにあるときのハードリンク動作を実行して（ステップ５２２）、ラジオ放送出力モードに切り替え、ステップ５０２の監視に戻る。
【００５７】
以上、制御部１２０が行うフォロー動作制御処理について説明した。
以上のように、本実施形態によれば、ＤＡＢで受信するFIGデータ（FIG 0/6)のサービスリンキングのソフトリンク情報に、現用系のラジオチューナ１１３で受信中のラジオ放送と関連する放送を行っているラジオ放送として登録されている、正常受信可能なラジオ放送である同一放送ソフトリンク先候補のうち、実際には、現用系のラジオチューナ１１３で受信中のラジオ放送とサイマル放送の関係にあるラジオ放送を、RadiEPGを用いて識別して同一放送ソフトリンク先として設定する。そして、同一放送ソフトリンク先候補のうちの同一放送ソフトリンク先のみを、現用系のラジオチューナ１１３で受信するラジオ放送の切り替え先の対象としたり、同一放送ソフトリンク先を、その他の同一放送ソフトリンク先候補よりも優先して現用系のラジオチューナ１１３で受信するラジオ放送の切り替え先の対象とする。
【００５８】
よって、本実施形態によれば、当該受信中のラジオ放送と放送内容が同じラジオ放送への受信する放送の切り替えを、可及的に、当該受信中のラジオ放送と放送内容が異なるラジオ放送への受信するラジオ放送の切り替えの発生を抑止、または、抑制しつつ行うことができる。
【符号の説明】
【００５９】
１…ラジオ放送受信機、２…ラジオ放送局、３…ＷＡＮ、４…ＩＰラジオサーバ、５…RadioDNS、６…サーバ、１１１…移動通信装置、１１２…ＩＰラジオプレイヤ、１１３…ラジオチューナ、１１４…入力装置、１１５…表示装置、１１６…記憶装置、１１７…セレクタ、１１８…アンプ、１１９…スピーカ、１２０…制御部。
【図１】
2017108229.tif 000003
【図２】
2017108229.tif 000004
【図３】
2017108229.tif 000005
【図４】
2017108229.tif 000006
【図５】
2017108229.tif 000007